【事件の表示】
　平成　３年特許願第３５００９４号「楽譜表示制御装置および楽譜表示制御方法」拒絶査定に対する審判事件〔平成　５年　６月２５日出願公開、特開平　５−１５８４７１、請求項の数（６）〕について、次のとおり審決する。
【結　論】
　原査定を取り消す。
　本願の発明は、特許すべきものとする。
【理　由】
第１　本願発明
　本願は、平成３年１２月１０日の出願であって、平成１２年１０月４日、平成１３年１０月２５日、平成１４年７月２６日に補正されたものであるところ、その請求項１乃至６に係る発明（以下「本願発明」という。）は、次に掲げるものである。
「【請求項１】楽曲を構成する楽音情報に対応する音符と休符情報に対応する休符とを表示部の楽譜上に表示させる楽譜表示制御装置において、
　前記楽音情報と前記休符情報とを演奏データとして記憶している記憶手段と、
　前記楽曲の拍子を指定する拍子指定手段と、
　この拍子指定手段により指定されている拍子が予め定められている拍子か否かを検出する拍子検出手段と、
　前記記憶手段に記憶されている前記休符情報が予め定められている単一の休符に対応するか否かを検出する休符検出手段と、
　この休符検出手段により前記休符情報が予め定められている単一の休符に対応すると検出されたこと、および、前記拍子指定手段により前記拍子が予め定められている拍子であると検出されたことを条件として、前記休符情報に対応する単一の休符を当該単一の休符に相当する２つの休符に変換し、この変換された２つの休符を、前記表示部の楽譜上に、予め定められた間隔を置いて表示させる第1の表示制御手段と、
　前記休符検出手段により前記休符情報が予め定められている単一の休符に対応すると検出されたが、前記拍子指定手段により指定されている前記拍子が予め定められている拍子でないと検出されたことを条件として、前記休符情報に対応する単一の休符を、当該単一の休符に相当する２つの休符に変換することなくそのまま前記表示部の楽譜上に表示させる第２の表示制御手段と、
　を備えたことを特徴とする楽譜表示制御装置。
【請求項２】前記拍子指定手段は、外部操作により拍子を入力する拍子設定スイッチであることを特徴とする請求項１記載の楽譜表示装置。
【請求項３】前記拍子指定手段は、前記記憶手段に記憶されている前記演奏データ内に記憶された当該楽曲の拍子を示す拍子記号情報を指定するための指定手段であることを特徴とする請求項１記載の楽譜表示制御装置。
【請求項４】楽曲を構成する楽音情報に対応する音符と休符情報に対応する休符とを表示部の楽譜上に表示させる楽譜表示制御方法において、
　前記楽曲の拍子を指定するための拍子指定手段により指定されている拍子が予め定められている拍子か否かを検出する拍子検出ステップと、
　前記楽音情報と前記休符情報とを演奏データとして記憶している記憶手段をアクセスし、この記憶手段に記憶されている前記休符情報が予め定められている単一の休符に対応するか否かを検出する休符検出ステップと、
　この休符検出ステップにより前記休符情報が予め定められている単一の休符に対応すると検出されたこと、および、前記拍子指定ステップにより指定されている前記拍子が予め定められている拍子であると検出されたことを条件として、前記休符情報に対応する単一の休符を当該単一の休符に相当する２つの休符に変換し、この変換された２つの休符を、前記表示部の楽譜上に、予め定められた間隔を置いて表示させる第1の表示制御ステップと、
　前記休符検出ステップにより前記休符情報が予め定められている単一の休符に対応すると検出されたが、前記拍子指定手段により指定されている前記拍子が予め定められている拍子でないと検出されたことを条件として、前記休符情報に対応する単一の休符を、当該単一の休符に相当する２つの休符に変換することなくそのまま前記表示部の楽譜上に表示させる第２の表示制御ステップと、
　を備えたことを特徴とする楽譜表示制御方法。
【請求項５】前記拍子指定手段は、外部操作により拍子を入力する拍子設定スイッチであることを特徴とする請求項４記載の楽譜表示方法。
【請求項６】前記拍子指定手段は、前記記憶手段に記憶されている前記演奏データ内に記憶された当該楽曲の拍子を示す拍子記号情報を指定するための指定手段であることを特徴とする請求項４記載の楽譜表示制御方法。」
　
第２　刊行物発明、及び、本願発明と刊行物発明との対比・検討
１　刊行物
　当審の拒絶理由で引用した刊行物１は次に掲げるものである。
　　刊行物１：特表平２−５００１３５号公報
　刊行物１には、３頁右下欄―４頁右下欄において、異なった拍子記号へ楽譜を書き換えたいと希望した場合の計算の仕方などが、また、５頁左上欄―右上欄において、ビートと拍子記号との定義などが、また、６頁左上欄―左下欄において、音符処理セッション２４は、音符およびリズムデータを拍子単位で、すなわち、選択された拍子記号により規定された主たる拍にしたがって処理されること（６頁右上欄第２行―４行目）が、また、９頁右上欄において、音符データの入力と出力に関することが、更に、ＦＩＧ.１において、４分の４拍子の五線譜上に複数の音符、8分休符（符号１５）、４分休符（符号１６）などが、ＦＩＧ.３において、音符データ処理を含む回路図が、ＦＩＧ.１２において、拍を取り込み、それをデータ処理する回路図面がＦＩＧ.１３において、拍が送付されると、音符処理を音符処理プログラムに従って実行する回路図面が開示されている。
　
２　本願発明と刊行物発明との対比・検討
　本願発明と刊行物１の発明とを対比・検討すると、刊行物１の発明は、本願発明における次に掲げる主要な事項を具備していないし、刊行物１には、この主要な事項を示唆する記載もなされていない。
「この拍子指定手段により指定されている拍子が予め定められている拍子か否かを検出する拍子検出手段と、前記記憶手段に記憶されている前記休符情報が予め定められている単一の休符に対応するか否かを検出する休符検出手段と、この休符検出手段により前記休符情報が予め定められている単一の休符に対応すると検出されたこと、および、前記拍子指定手段により前記拍子が予め定められている拍子であると検出されたことを条件として、前記休符情報に対応する単一の休符を当該単一の休符に相当する２つの休符に変換し、この変換された２つの休符を、前記表示部の楽譜上に、予め定められた間隔を置いて表示させる第1の表示制御手段と、前記休符検出手段により前記休符情報が予め定められている単一の休符に対応すると検出されたが、前記拍子指定手段により指定されている前記拍子が予め定められている拍子でないと検出されたことを条件として、前記休符情報に対応する単一の休符を、当該単一の休符に相当する２つの休符に変換することなくそのまま前記表示部の楽譜上に表示させる第２の表示制御手段と、を備えた」点（請求項１乃至３）
「前記楽曲の拍子を指定するための拍子指定手段により指定されている拍子が予め定められている拍子か否かを検出する拍子検出ステップと、前記楽音情報と前記休符情報とを演奏データとして記憶している記憶手段をアクセスし、この記憶手段に記憶されている前記休符情報が予め定められている単一の休符に対応するか否かを検出する休符検出ステップと、この休符検出ステップにより前記休符情報が予め定められている単一の休符に対応すると検出されたこと、および、前記拍子指定ステップにより指定されている前記拍子が予め定められている拍子であると検出されたことを条件として、前記休符情報に対応する単一の休符を当該単一の休符に相当する２つの休符に変換し、この変換された２つの休符を、前記表示部の楽譜上に、予め定められた間隔を置いて表示させる第1の表示制御ステップと、前記休符検出ステップにより前記休符情報が予め定められている単一の休符に対応すると検出されたが、前記拍子指定手段により指定されている前記拍子が予め定められている拍子でないと検出されたことを条件として、前記休符情報に対応する単一の休符を、当該単一の休符に相当する２つの休符に変換することなくそのまま前記表示部の楽譜上に表示させる第２の表示制御ステップと、を備えた」点（請求項４乃至６）
　そして、上記主要な事項により、本願発明は、明細書記載の顕著な効果を奏するものである。
　したがって、本願発明は、刊行物１の発明に基いて当業者が容易に発明をすることができたものということができない。
　なお、原審拒絶理由通知において提示された刊行物においても、上記主要事項についての記載も示唆もない。
　
第３　むすび
　以上、本願発明は、刊行物に記載された発明に基いて当業者が容易に発明をすることができたものということができない。
　また、他に本願発明に係る特許を拒絶する理由を発見しない。
　よって、結論のとおり審決する。